(57)【要約】【課題】  パチンコ球が磁力によって移動するステージ上の領域について、奥行きを変更することなく横幅を広くすることができるパチンコ機を提供すること。【解決手段】  モータ２３が駆動すると、フレキシブルケーブル１９を介して、フレキシブルケーブル１９に固体された歯車１８も回転する。この歯車１８の回転力は、一方のプーリー１４に伝達され、さらに、ベルト１５を介して、他方のプーリー１３に伝達される。このとき、一対のプーリー１３，１４は、ベアリング４１，４２を介し、互いに反対方向に傾斜して軸支されており、「８」の字状に架けられたベルト１５が一対のプーリー１３，１４の間で接触することなく交差することができるので、ベルト１５に設けられた磁性体１６が「８」の字状の移動軌跡を描くようになり、ステージ１２上のパチンコ球Ｐも磁性体１６の磁力によって、ステージ１２上を「８」の字状の移動軌跡に沿って滑動する。【選択図】  図１
2005334492.tif 000002
【特許請求の範囲】
【請求項１】
ステージと、
前記ステージに内設された第１回動体と、
前記第１回動体の回転軸を軸支する第１軸支手段と、
前記ステージに内設された第２回動体と、
前記第２回動体の回転軸を軸支する第２軸支手段と、
前記第１回動体と前記第２回動体を連結するとともに変形自在な連結部材と、
前記連結部材に設けられた磁性体と、
前記第１回転体を回転させるための駆動源と、
前記磁性体の移動軌跡に沿って前記ステージ上を滑動するパチンコ球を前記磁性体の移動軌跡から逸らすために前記ステージ上に設けられた剥離部材と、を備えたこと、を特徴とするパチンコ機。
【請求項２】
請求項１に記載するパチンコ機であって、
前記第１回動体の回転軸と前記第２回動体の回転軸を相対的に傾けるとともに、前記連結部材を「８」の字にして前記第１回動体と前記第２回動体を連結したこと、を特徴とするパチンコ機。
【請求項３】
請求項１又は請求項２に記載するパチンコ機であって、
前記連結部材としてのチェーンと、
前記第１回動体及び前記第２回動体としての一対のスプロケットと、を備えたこと、を特徴とするパチンコ機。
【請求項４】
請求項１又は請求項２に記載するパチンコ機であって、
前記連結部材として張力を利用したベルトと、
前記第１回動体及び前記第２回動体としての一対のプーリーと、を備えたこと、を特徴とするパチンコ機。
【請求項５】
請求項１乃至請求項４のいずれか一つに記載するパチンコ機であって、
前記駆動源の運動エネルギーを前記第１回転体に伝達するためのフレキシブルケーブルを備えたこと、を特徴とするパチンコ機。
【発明の詳細な説明】
【技術分野】
【０００１】
本発明は、ステージ上をパチンコ球が磁力によって移動するパチンコ機に関するものである。
【背景技術】
【０００２】
従来のパチンコ機では、例えば、下記特許文献１に記載されているように、遊技盤の中央に配設される中央役物において、傾斜板の下に配置された回転円板に複数の永久磁性体を取り付けたものがあり、これにより、傾斜板上に流下したパチンコ球を傾斜板上で移動させることができる。
【特許文献１】特開平２−４９６７６号公報
【発明の開示】
【発明が解決しようとする課題】
【０００３】
この点、中央役物には液晶表示装置を備えていることが多く、近年では、この液晶表示装置の画面サイズは大型化しており、よって、中央役物も大型化の傾向にある。そして、この大型化した中央役物において、従来と同様な比率の規模をもって、パチンコ球を傾斜板上で移動させようとすると、複数の永久磁性体が取り付けられた回転円板を大きくする必要があることから、そのため、液晶表示装置を奥の方に配置しなければならなくなって、中央役物の奥行きが深くなってしまうことがあった。
【０００４】
そこで、本発明は、上述した点を鑑みてなされたものであり、パチンコ球が磁力によって移動するステージ上の領域について、奥行きを変更することなく横幅を広くすることができるパチンコ機を提供することを課題とする。
【課題を解決するための手段】
【０００５】
この課題を解決するために成された請求項１に係る発明は、パチンコ機であって、ステージと、前記ステージに内設された第１回動体と、前記第１回動体の回転軸を軸支する第１軸支手段と、前記ステージに内設された第２回動体と、前記第２回動体の回転軸を軸支する第２軸支手段と、前記第１回動体と前記第２回動体を連結するとともに変形自在な連結部材と、前記連結部材に設けられた磁性体と、前記第１回転体を回転させるための駆動源と、前記磁性体の移動軌跡に沿って前記ステージ上を滑動するパチンコ球を前記磁性体の移動軌跡から逸らすために前記ステージ上に設けられた剥離部材と、を備えたこと、を特徴としている。
【０００６】
また、請求項２に係る発明は、請求項１に記載するパチンコ機であって、前記第１回動体の回転軸と前記第２回動体の回転軸を相対的に傾けるとともに、前記連結部材を「８」の字にして前記第１回動体と前記第２回動体を連結したこと、を特徴としている。
【０００７】
また、請求項３に係る発明は、請求項１又は請求項２に記載するパチンコ機であって、前記連結部材としてのチェーンと、前記第１回動体及び前記第２回動体としての一対のスプロケットと、を備えたこと、を特徴としている。
【０００８】
また、請求項４に係る発明は、請求項１又は請求項２に記載するパチンコ機であって、前記連結部材として張力を利用したベルトと、前記第１回動体及び前記第２回動体としての一対のプーリーと、を備えたこと、を特徴としている。
【０００９】
また、請求項５に係る発明は、請求項１乃至請求項４のいずれか一つに記載するパチンコ機であって、前記駆動源の運動エネルギーを前記第１回転体に伝達するためのフレキシブルケーブルを備えたこと、を特徴としている。
【発明の効果】
【００１０】
すなわち、請求項１に係る発明のパチンコ機では、ステージに内設された第１回動体と第２回転体を磁性体が設けられた変形自在の連結部材で連結しており、回転する連結部材の磁性体の磁力によって、ステージ上のパチンコ球が移動するので、パチンコ球が磁力によって移動動するステージ上の領域について、奥行きを変更することなく横幅を広くすることができ、もって、横幅の広いステージの隅の方もカバーすることができるようになる。
【００１１】
また、請求項２に係る発明のパチンコ機では、パチンコ球の動きを「８」の字に動かすことができ、今までにないパチンコ球の動きをさせることができる。また、連結部材を「８」の字にしたときに連結部材同士が干渉しないようにすることができる。
【００１２】
また、請求項３に係る発明のパチンコ機では、第１回転体であるスプロケットの動きを連結部材であるチェーンにすべることなく伝えることができるので、連結部材であるチェーンをスムーズに伝えることができる。
【００１３】
また、請求項４に係る発明のパチンコ機では、第１回転体及び第２回転体であるプーリーから連結部材であるベルトがはずれないようにすることができる。
【００１４】
また、請求項５に係る発明のパチンコ機では、第１回転体の直下に駆動源を設ける必要がなくなるため、第１回転体の周辺に駆動源を取り付けるスペースが少なくても、第１回転体に駆動源の動力を伝達させることができる。
【発明を実施するための最良の形態】
【００１５】
以下、本発明の実施の形態を図面を参照にして説明する。図１３に、本実施の形態のパチンコ機１０１の正面図を示す。図１３に示すように、本実施の形態のパチンコ機１では、中央役物１０２や第１種始動口１０３が配設された遊技盤１０４を備えている。
【００１６】
この遊技盤１０４について、図１０に正面図を示し、図１１に平面図を示し、図１２に側面図を示す。
【００１７】
そして、この遊技盤１０４に配設された中央役物１０２には、図１の斜視図に示されたような概要を有するパチンコ球磁力移動機構１が設けられている。そこで、ここでは、パチンコ球磁力移動機構１の概要について説明する。
【００１８】
図１に示すように、パチンコ球磁力移動機構１は、剥離壁１１が立設されるとともにパチンコ球Ｐが転動するステージ１２と、そのステージ１２の下で反対方向に傾斜して軸支された一対のプーリー１３，１４と、それらのプーリー１３，１４に「８」の字状に架けられたベルト１５と、そのベルト１５の一部に設けられた磁性体１６と、一方のプーリー１４の下面に刻設された歯形部１７と、その歯形部１７に歯合する歯車１８と、その歯車１８を一端に固定したフレキシブルケーブル１９と、そのフレキシブルケーブル１９の一端部分を支持する支持部材２０と、そのフレキシブルケーブル１９の他端を固持したジョイント２１と、そのジョイント２１に固持された駆動軸２２を有するモータ２３などから構成される。
【００１９】
このとき、一対のプーリー１３，１４は、図１９に示すように、ベルト１５で形成した正円Ｃの直径Ｄよりも離れた間隔をもって配置される。
また、磁性体１６は、図１４に示すように、ベルト１５の一部に磁性体繊維を織り込んで磁化させることにより、ベルト１５に設けられる。
【００２０】
そして、モータ２３が駆動すると、ジョイント２１を介して、フレキシブルケーブル１９が回転するので、フレキシブルケーブル１９の一端に固定された歯車１８も回転することになる。そして、この歯車１８の回転力は、その歯車１８と歯合する歯形部１７が設けられた一方のプーリー１４に伝達され、さらに、ベルト１５を介して、他方のプーリー１３に伝達される。
【００２１】
このとき、一対のプーリー１３，１４は、ベアリング４１，４２を介して、互いに反対方向に傾斜して軸支されており（図１０，図１２参照）、「８」の字状に架けられたベルト１５が一対のプーリー１３，１４の間で接触することなく交差することができるので、一対のプーリー１３，１４はスムーズに回転することができる。
【００２２】
そのため、図２０に示すように、ベルト１５に設けられた磁性体１６は「８」の字状の移動軌跡Ｌを描くようになり、ステージ１２上のパチンコ球Ｐも磁性体１６の磁力によって、ステージ１２上を移動軌跡Ｌに沿って滑動するようになる。
【００２３】
一方、剥離壁１１は、図１０に示すように、遊技盤１０４に配設された第１種始動口１０３の真上に設けられている。また、剥離壁１１は、図１１に示すように、ステージ１２の側縁から他方のプーリー１３の外周真上を横切るように設けられている。
【００２４】
従って、図２１に示すように、ステージ１２上を移動軌跡Ｌに沿って滑動中のパチンコ球Ｐは、剥離壁１１と衝突することにより、磁性体１６の磁力から解放され、ステージ１２から落下して、第１種始動口１０３に向かって落下することになる。
【００２５】
ここで、図２〜図９において、パチンコ球磁力移動機構１を構成する部品の図面を示す。図２は、剥離壁１１とステージ１２が設けられた中央役物１０２の筐体３１を示した三面図（第三角法による正面図・平面図・側面図をあわせて表したもの。以下、同じ。）である。図２に示すように、筐体３１の右端中央にはパチンコ球Ｐが通過することができる通過口３２が設けられており、さらに、通過口３２の下方にあって筐体３１の右側下部にはパチンコ球Ｐが転動することができるステージ１２が設けられている。従って、通過口３２を通過したパチンコ球Ｐは、ステージ１２に導かれ、ステージ１２上を転動することになる。
【００２６】
また、図３はモーター２３の三面図である。符号２２は、モータ２３の駆動軸である。図４は一方のプーリー１４の二面図（第三角法による正面図・平面図をあわせて表したもの。以下、同じ。）である。図４に示すように、一方のプーリー１４の側面は半円状に凹んでおり、ベルト１５をかけやすい形状になっている。また、一方のプーリー１４の下面には歯形部１７が刻設されている。図５は他方のプーリー１３の二面図である。図５に示すように、他方のプーリー１３の側面は半円状に凹んでおり、ベルト１５をかけやすい形状になっている。図６はフレキシブルケーブル１９の二面図である。図６に示すように、フレキシブルケーブル１９の両端には、歯車１８又はジョイント２１が固定される部分が設けられている。図７は支持部材２０の二面図である。この支持部材２０により、フレキシブルケーブル１９を筐体３１に固定する。図８は歯車１８の二面図である。図８に示すように、歯車１８にはフレキシブルケーブル１９の一端が嵌合する軸穴が設けられている。図９はジョイント２１の三面図である。図９に示すように、ジョイント２１には、モータ２３の駆動軸２２とフレキシブルケーブル１９の他端がその両側から挿入される貫通穴が設けられており、さらに、貫通穴に対しては、モータ２３の駆動軸２２とフレキシブルケーブル１９の他端を固持するためのビス穴が連通している。
【００２７】
以上詳細に説明したように、本実施の形態のパチンコ機１０１では、ステージ１２に内設された一対のプーリー１３，１４を磁性体１６が設けられた変形自在のベルト１５で連結しており、回転するベルト１５の磁性体１６の磁力によって、ステージ１２上のパチンコ球Ｐが移動軌跡Ｌに沿って移動するので、パチンコ球Ｐが磁力によって移動するステージ１２上の領域について、奥行きを変更することなく横幅を広くすることができる。
【００２８】
また、一対のプーリー１３，１４は、ベアリング４１，４２を介して、互いに反対方向に傾斜して軸支されており、「８」の字状に架けられたベルト１５が一対のプーリー１３，１４の間で接触することなく交差することができ、一対のプーリー１３，１４をスムーズに回転させることができるので、ベルト１５に設けられた磁性体１６の磁力によって、ステージ１２上のパチンコ球Ｐも、「８」の字状の移動軌跡Ｌに沿って滑動するようになり、これまでにない新たな動きをさせることができる。
【００２９】
また、モータ２３の駆動力を一方のプーリー１４に伝達させる手段として、フレキシブルケーブル１９を使用しているので、一方のプーリー１４の真下にモータ２３を配設する必要がなくなることから、一方のプーリー１４の周辺スペースが狭くても、モータ２３の駆動力を一方のプーリー１４に伝達させることができる。
【００３０】
尚、本発明は上記実施の形態に限定されるものでなく、その趣旨を逸脱しない範囲で様々な変更が可能である。
例えば、本実施の形態のパチンコ機１０１では、磁性体１６は、図１４に示すように、ベルト１５の一部に磁性体繊維を織り込んで磁化させることにより、ベルト１５に設けられる。
この点、磁性体１６を、図１５に示すように、ベルト１５の芯材の一部として埋め込むことで、ベルト１５に設けてもよい。
【００３１】
また、磁性体１６を、図１６に示すように、接着などによりベルト１５一部として構成することで、ベルト１５に設けてもよい。また、磁性体１６を樹脂製のものを使用した場合には、溶着・２色成形などによりベルト１５一部として構成することで、ベルト１５に設けてもよい。
また、磁性体１６たる磁石シートを、図１７に示すように、ベルト１５一部に巻き付けることで、ベルト１５に設けてもよい
【００３２】
また、本実施の形態のパチンコ機１では、パチンコ球磁力移動機構１を構成する部品として、ベルト１５が架けられた一対のプーリー１３，１４を使用しているが、この点、図１９に示すように、モータ５１が直結された一方のスプロケット５２をチェーン５４を介して他方のスプロケット５３に連結させたものを使用してもよい。そして、この場合には、図１８に示すように、チェーン５４に対して永久磁石５６が埋設されることにより、ステージ１２上のパチンコ球Ｐを「８」の字状に移動させる。
【産業上の利用可能性】
【００３３】
本発明は、ステージ上のパチンコ球を磁力で移動させる機構に適用しうる。
【図面の簡単な説明】
【００３４】
【図１】本実施の形態のパチンコ機の遊技盤の中央役物に備えられたパチンコ球移動機構の概要を示した斜視図である。
【図２】本実施の形態のパチンコ機でパチンコ球移動機構を構成する中央役物の筐体を示した三面図である。
【図３】本実施の形態のパチンコ機でパチンコ球移動機構を構成するモーターを示した三面図である。
【図４】本実施の形態のパチンコ機でパチンコ球移動機構を構成するプーリーを示した二面図である。
【図５】本実施の形態のパチンコ機でパチンコ球移動機構を構成するプーリーを示した二面図である。
【図６】本実施の形態のパチンコ機でパチンコ球移動機構を構成するフレキシブルケーブルを示した二面図である。
【図７】本実施の形態のパチンコ機でパチンコ球移動機構を構成する支持部材を示した二面図である。
【図８】本実施の形態のパチンコ機でパチンコ球移動機構を構成する歯車を示した二面図である。
【図９】本実施の形態のパチンコ機でパチンコ球移動機構を構成するジョイントを示した三面図である。
【図１０】本実施の形態のパチンコ機の遊技盤を示した正面図である。
【図１１】本実施の形態のパチンコ機の遊技盤を示した平面図である。
【図１２】本実施の形態のパチンコ機の遊技盤を示した側面図である。
【図１３】本実施の形態のパチンコ機を示した正面図である。
【図１４】本実施の形態のパチンコ機でパチンコ球移動機構を構成する磁性体のベルトへの固定方法を示した説明図である。
【図１５】本実施の形態のパチンコ機でパチンコ球移動機構を構成する磁性体のベルトへの固定方法を示した説明図である。
【図１６】本実施の形態のパチンコ機でパチンコ球移動機構を構成する磁性体のベルトへの固定方法を示した説明図である。
【図１７】本実施の形態のパチンコ機でパチンコ球移動機構を構成する磁性体のベルトへの固定方法を示した説明図である。
【図１８】本実施の形態のパチンコ機でパチンコ球移動機構を構成する永久磁石のチェーンへの固定方法を示した説明図である。
【図１９】本実施の形態のパチンコ機の遊技盤の中央役物に備えられたパチンコ球移動機構の概要を示した斜視図である。
【図２０】本実施の形態のパチンコ機において、中央役物のステージ上を磁力によって移動するパチンコ球の軌跡と、剥離壁と、第１種始動口との位置関係を示した説明図である。
【符号の説明】
【００３５】
１１  剥離壁
１２  ステージ
１３  プーリー
１４  プーリー
１５  ベルト
１６  磁性体
１７  歯形部
１８  歯車
１９  フレキシブルケーブル
２０  支持部材
２１  ジョイント
２３  モータ
５２  スプロケット
５３  スプロケット
５４  チェーン
５６  永久磁石
１００  パチンコ機
Ｐ  パチンコ球
【図１】
2005334492.tif 000003
【図２】
2005334492.tif 000004
【図３】
2005334492.tif 000005
【図４】
2005334492.tif 000006
【図５】
2005334492.tif 000007
【図６】
2005334492.tif 000008
【図７】
2005334492.tif 000009
【図８】
2005334492.tif 000010
【図９】
2005334492.tif 000011
【図１０】
2005334492.tif 000012
【図１１】
2005334492.tif 000013
【図１２】
2005334492.tif 000014
【図１３】
2005334492.tif 000015
【図１４】
2005334492.tif 000016
【図１５】
2005334492.tif 000017
【図１６】
2005334492.tif 000018
【図１７】
2005334492.tif 000019
【図１８】
2005334492.tif 000020
【図１９】
2005334492.tif 000021
【図２０】
2005334492.tif 000022